(57)【特許請求の範囲】
【請求項１】
被穿孔体に対して透孔を穿孔する目的で使用される穿孔具に穿孔刃を装着するようにした穿孔刃の取付け構造であって、
前記穿孔具は、穿孔刃を保持させる回動体もしくは固定体と、穿孔刃による切りかすの飛散を防止するカバー体とを備え、
前記カバー体は、下方の開口を分断することなく側方に開口する開口部が側壁面の一部に形成されると共に前記回動体もしくは固定体の全体を覆うカップ状の脚と、前記開口部に着脱自在に設けられて該開口部を覆うための蓋部材とを備え、
前記回動体もしくは固定体は、一側壁の外面に雌ネジが螺刻され、該雌ネジに螺着されるビスのビス頭と前記側壁との間で前記穿孔刃を挟持し、
前記開口部は前記蓋部材を取外すことにより開口し、前記ビスは該開口部を介して前記カバー体の外側から操作が可能であることを特徴とする穿孔刃取付け構造。
【請求項２】
前記回動体若しくは固定体の側壁外面に、穿孔刃を収容し得る上下方向の凹溝が形成されていることを特徴とする請求項１に記載の穿孔刃取付け構造。
【発明の詳細な説明】
【０００１】
【発明の属する技術分野】
本発明は穿孔具に装着する穿孔刃の取付け構造に関するものであり、より詳しくは、穿孔刃の着脱作業が簡単、かつ安全に実施できる穿孔刃の取付け構造の提供に関するものである。
【０００２】
【従来の技術】
従来、被穿孔体に対して透孔を穿孔する目的で使用される穿孔具に装着する穿孔刃の取付け方法としては、図７にその要部を分解斜視図で示すように、螺刻された雌ネジ３１を有する穿孔刃取付け座３２がアーム３３の両端部に設けられ、該穿孔刃取付け座３２に、前記雌ネジ３１と穿孔刃３４に形成された貫通孔３５が重なるように穿孔刃３４を配置し、該貫通孔３５を挿通して備えられたビス３６等を介して締め付け固定するようになっている。
【０００３】
【発明が解決しようとする課題】
しかしながら、従来の穿孔刃の取付け方法にあっては、穿孔刃取付け座３２に対して穿孔刃３３を固定できるものの、被穿孔体に対して透孔を穿設している最中に穿孔刃３３がビス３６等を軸心として回転若しくは回動することがあり、これが原因となって仕上がりの美しい透孔を穿設できないことがあった。
【０００４】
また、前記穿孔刃取付け座３２に雌ネジ３１と穿孔刃３４に形成された貫通孔３５とが重なるように穿孔刃３４を配置させ、ついで、貫通孔３５を挿通して備えられたビス３６等で締め付け固定する作業がまことに面倒である上に、貫通孔３５から穿孔刃３４の先端までの長さを自在に調節することができなかったから、多種類の穿孔刃を予め準備しておき、厚さの異なる被穿孔体毎にその都度穿孔刃を選別し交換する作業をしなければならなかった。
【０００５】
特に、切りかす受けカバー体を有する穿孔具において、カバー体内の狭いところで穿孔刃の取付け、取り外し作業をしなければならないので、穿孔刃の交換に不便で交換に時間がかかる上、手指をけがすることも多く、その改良が望まれていた。
【０００６】
そこで、本発明は、穿孔刃の着脱作業が簡単かつ安全に実施できる穿孔刃の取付け構造を創案し提供することをその解決すべき課題とするものである。
【０００７】
【課題を解決するための手段】
上記課題を課題を解決するために採った請求項１の発明の要旨とするところは、被穿孔体に対して透孔を穿孔する目的で使用される穿孔具に穿孔刃を装着するようにした穿孔刃の取付け構造であって、
前記穿孔具は、穿孔刃を保持させる回動体もしくは固定体と、穿孔刃による切りかすの飛散を防止するカバー体とを備え、
前記カバー体は、下方の開口を分断することなく側方に開口する開口部が側壁面の一部に形成されると共に前記回動体もしくは固定体の全体を覆うカップ状の脚と、前記開口部に着脱自在に設けられて該開口部を覆うための蓋部材とを備え、
前記回動体もしくは固定体は、一側壁の外面に雌ネジが螺刻され、該雌ネジに螺着されるビスのビス頭と前記側壁との間で前記穿孔刃を挟持し、
前記開口部は前記蓋部材を取外すことにより開口し、前記ビスは該開口部を介して前記カバー体の外側から操作が可能であることを特徴とするものであり、前記カバー体の開口部を開口しても穿孔刃はカバー体で覆われているために、作業者は、カバー体の開口部を介してカバー体の外側からビスを操作しても、作業者が不用意に、穿孔刃に接触することがなく、作業者は指等に傷を負わない。
【０００８】
請求項２の発明の要旨とするところは、請求項１に記載の穿孔刃取付け構造であって、回転体若しくは固定体の側壁外面に、穿孔刃を収容し得る上下方向の凹溝が形成されていることを特徴とするものであり、請求項１に記載の作用に加えて、特には、回動体５若しくは固定体３の側壁外面に形成された上下方向の凹溝３ｂに穿孔刃４の一部を収容でき、該穿孔刃４自体の回転若しくは回動を防止できる。すなわち、仕上がりの美しい透孔を被穿孔体に対して穿設できる。
【００１１】
【発明の実施の形態】
本発明を、穿孔刃の取付け構造を具体化した実施例に基づいて説明する。
図１は、本発明の実施例の穿孔刃４の取付け構造を具有した穿孔具２０の一部破断正面図、図２は同じく一部破断側面図であり、図３（ａ）は回転軸１と一体となって回転する回転体５の正面図、図３（ｂ）は同じく底面図であり、図４（ａ）は本実施例の穿孔刃の固定体の平面図であり、図４（ｂ）は同じく正面図である。
【００１２】
図において、本発明の実施例の穿孔具２０は、被穿孔体に対して透孔を穿設する際に使用するものであり、
ハンディータイプの回転駆動工具に先端が着脱自在に取付され、該回転駆動工具により回転駆動する回転軸１と、該回転軸１に一端が着脱自在に止着され被穿孔体に穿設する透孔１０の穿孔中心の位置を提供するセンター軸２と、前記透孔１０の穿孔中心の位置と同心状の中心貫通孔５ａが形成され該中心貫通孔５ａに前記回転軸１の下方が着脱自在に挿嵌され、かつ前記中心貫通孔５ａより所定の間隔離間した相対向する両側に、固定体３を介して穿孔刃４を取り付けた回転体５とからなる本体ブロック６と、
側壁面に開口部７ａが設けられ前記回転体５の全体を覆うカップ状の脚７ｂと、該脚７ｂの上部に一体形成され前記回転軸１が挿通される挿通孔を設けた筒状部７ｃと、前記開口部７ａに着脱自在に係止させ該開口部７ａの全体を覆うための蓋部材７ｄとからなるカバー体７と、
該カバー体７の上面に固設され前記本体ブロック６の移動距離を制限する切込み深さ調節装置８と、を含み構成されている。
【００１３】
前記回転体５には、被穿孔体に穿設する透孔１０の中心位置と同心状の中心貫通孔５ａが形成されており、該中心貫通孔５ａの内面には軸線方向へ切欠いた凹部が形成され、この凹部に前記回転軸１の下方外面に形成された凸部が枢支させた状態で挿脱自在に挿入可能で回り止めが施された状態で止着できるようになっている。
【００１４】
また、この回転体５には、図５に示すように、前記センター軸２をとおる放射線上であってかつセンター軸２の軸心を対称中心とする位置にそれぞれナット形状に形成された雌ネジ５ｂが形成されており、この雌ネジ５ｂに、突出方向に向けて配置された穿孔刃４の固定体３をビス５ｃを介してビス止めできるようになっている。
【００１５】
前記穿孔刃４の取付け構造は、図６に示すように、略筺体形状に一体形成された固定体３の外側の側壁外面に上端に切欠部３ａを有する上下方向の凹溝３ｂが形成され、この凹溝３ｂに穿孔刃４の上方が保持される。また、凹溝３ｂの両側に雌ネジ３ｃが螺刻されており、該雌ネジ３ｃに螺着せしめたビス３ｅのビス頭と固定体３の側壁との間に、穿孔刃４を挟持させるようになっている。
【００１６】
また、図４（ａ）に示すように、この固定体３の底面中央部には、穿孔刃４を備えた側壁と直交する方向に向けて長孔３ｄが形成されており、該長孔３ｄを貫通して備えられたビス５ｃを緩めることにより、固定体３自体を前記センター軸２の半径方向の所望する位置にスライド移動させることができ、そのままビス５ｃで締め付け固定できるようになっている。
すなわち、センター軸２と固定体３との間の距離は無段階に設定できるから、穿孔径の異なる様々な穿孔１０を被穿孔体に対して穿設できるように機能する。
【００１７】
穿孔刃４は、その刃先がＶ字形状であり刃厚方向で外側から内側に向けて傾斜させた形状に形成されており、また、上端には幅方向に膨出させた係合部４ａが形成されており、この係合部４ａを前記固定体３の切欠部３ａに係合させない限り取付け不可になっている。すなわち、穿孔刃は、位置決めされた状態でしか取付けできない。
【００１８】
なお、回転体５にコイルスプリング（弾性体）を介在させ該スプリングの弾発力に抗して穿孔刃４の固定体３を密接固定できる構成であると、この固定体３は回転体５に対して離間する方向に向けて常時付勢されているから、ビスを緩めて固定解除することにより固定体３自体を簡単に取り外すことができる。すなわち、特には、切りかすカバー体７を有する穿孔具である場合には、カバー体７内の狭いところで穿孔刃４の交換作業を行わなくてもよいから、手指をけがすることなく穿孔刃４の取付け、取り外し、及び交換作業を安全に行える。
【００１９】
また、穿孔刃を取り替えする時にあっては、前記カバー体７に備えられた蓋体７ｂを取り外すことにより簡単に開口部７ａを開口させることができ、例えば従来のかかる穿孔具のごとき、カバー体の下方の開口からＬ字六角レンチ等を挿入してビスの操作を行なうのとは異なり、上記と同様、開口部７ａの外側から、この開口部７ａを介して、ドライバーのみで前記ビス３ｅ止め等の操作できるから、穿孔刃の交換作業が迅速且つ安全に行えるとともに、カバー体全体の大きさを縮小できる。
【００２０】
ところで、本発明の穿孔刃取付け構造は、固定体３の外側の側壁外面に上下方向の凹溝３ｂが形成され、この凹溝３ｂに穿孔刃４の上方を保持するとともに、凹溝３ｂの両側に螺刻された雌ネジ３ｃに螺着せしめたビス３ｅのビス頭と前記固定体３の側壁との間に、穿孔刃４を挟持させるようになっており、かつ、固定体に保持せしめた穿孔刃のそれぞれを、センター軸を中心として同一の円軌跡を描くように固定されているところに構成特徴がある。
【００２１】
したがって、前記実施例に限定されることなく、例えば前記回転体５の側壁外面上に、上述した穿孔刃４の取付け構造を形成する等、この発明の趣旨から逸脱しない範囲で適宜設計変更して実施できることは、繰り返して述べるまでもないことである。
【００２２】
【発明の効果】
以上述べたように、本発明の穿孔刃取付け構造によれば、カバー体の下方の開口を分断することなく側方に開口する開口部が側壁面の一部に形成されていることにより、開口部を開口しても穿孔刃はカバー対で覆われているため安全である。
【００２３】
請求項２に記載の発明の穿孔刃取付け構造によれば、回動体若しくは固定体の側壁外面に形成された上下方向の凹溝に、穿孔刃の一部を収容した状態で固定できるから、穿孔刃自体の回動若しくは回動を確実に防止できる。すなわち、回動体若しくは固定体に保持せしめた穿孔刃のそれぞれを、センター軸を中心として同一の円軌跡を描くように固定できるから、仕上がりの美しい透孔を被穿孔体に対して迅速かつ正確に穿設できる。
【図面の簡単な説明】
【図１】図１は、本発明の実施例の穿孔刃の取付け構造を具備した穿孔具の一部破断正面図である。
【図２】図２は、図１の穿孔具の一部破断側面図である。
【図３】図３（ａ）は回転軸と一体となって回転する回転体の正面図であり、図３（ｂ）は同じく底面図である。
【図４】図４（ａ）は本実施例の穿孔刃の固定体の平面図であり、図４（ｂ）は同じく正面図である。
【図５】図５は、回転体に固定体を取付けする方法を説明するための要部分解正面図である。
【図６】図６は、固定体に穿孔刃を取付けする方法を説明するための要部分解斜視図である。
【図７】図７は、従来の穿孔刃の取付け方法を説明するための要部分解斜視図である。
【符号の説明】
１…回転軸
２…センター軸
３…固定体
３ａ…切欠部
３ｂ…凹溝
３ｃ…雌ネジ
３ｄ…長孔
３ｅ…ビス
４…穿孔刃
４ａ…係合部
５…回転体
５ａ…中心貫通孔
５ｂ…雌ネジ
５ｃ…ビス
６…本体ブロック
７…カバー体
７ａ…開口部
７ｂ…カップ状の脚
７ｃ…筒状部
７ｄ…蓋部材
８…切込み深さ調節装置
１０…透孔
２０…穿孔具
３１…雌ネジ
３２…穿孔刃取付け座
３３…アーム
３４…穿孔刃
３５…貫通孔
３６…ビス
【図１】
0003663430.tif 000002
【図２】
0003663430.tif 000003
【図３】
0003663430.tif 000004
【図４】
0003663430.tif 000005
【図５】
0003663430.tif 000006
【図６】
0003663430.tif 000007
【図７】
0003663430.tif 000008